【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
セルロース反応性官能化ポリビニルアミド付加物を製造するための方法であって、
ビニルアミドポリマー及びセルロース反応性剤の実質的に水性の反応混合物を反応させることにより付加物を形成する工程を含み、
ビニルアミドポリマーの濃度が、臨界濃度未満であるか、それと等しいか、又はそれを最大で１％超え、臨界濃度が、それを超える場合、付加物形成の進行により得られる反応混合物について粘度が増加し、それ未満である場合、付加物形成の進行により得られる反応混合物について粘度が低下する、ビニルアミドポリマーの濃度として定義される方法であって、セルロース反応性官能化ポリビニルアミド付加物の粘度が、ブルックフィールド粘度計で、２５℃、６０ｒｐｍの条件下で測定したとき、３０センチポイズ以下である、方法。
【請求項２】
セルロース反応性官能化ポリビニルアミド付加物を製造するための方法であって、
ビニルアミドポリマー及びセルロース反応性剤を含む実質的に水性の反応混合物を反応させることにより付加物を形成する工程を含み、
ビニルアミドポリマーの濃度が、付加物反応中の任意の段階において、反応混合物の４重量パーセント未満である、方法。
【請求項３】
セルロース反応性官能化ポリビニルアミド付加物を製造するための方法であって、
ビニルアミドポリマー及びセルロース反応性剤を含む実質的に水性の反応混合物を反応させることにより付加物を形成する工程を含み、アミドとセルロース反応性剤とのモル比が、２：１〜１２：１の範囲であり、
反応混合物が、反応前粘度及び第２の粘度を有し、全セルロース反応性剤の少なくとも５０重量％が消費される程度に反応が進行した時点で、第２の粘度を測定し、反応前粘度と第２の粘度との差が、粘度の低下、粘度変化がないこと、又は反応前粘度の５０％未満の増加により特徴づけられる、方法。
【請求項４】
セルロース反応性剤が２個以上のアルデヒド官能基を含む、請求項１〜３のいずれかに記載の方法。
【請求項５】
セルロース反応性剤が、グリオキサール、グルタルアルデヒド、フランジアルデヒド、２−ヒドロキシアジパルデヒド、スクシンアルデヒド、ジアルデヒドデンプン、ジエポキシ化合物、又はその組み合わせである、請求項１〜３のいずれかに記載の方法。
【請求項６】
ビニルアミドポリマーが、（メタ）アクリルアミド又は置換（メタ）アクリルアミドから形成されるホモポリマー又はコポリマーである、請求項１〜５のいずれかに記載の方法。
【請求項７】
ビニルアミドポリマーが、非イオン性、カチオン性、潜在的にカチオン性、アニオン性、潜在的にアニオン性、及び／又は両性である、請求項１〜５のいずれかに記載の方法。
【請求項８】
ビニルアミドポリマーが、カチオン性であり、カチオン性モノマーから形成され、カチオン性モノマーが、その酸付加塩及び四級アンモニウム塩を含む、ジアリルジアルキルアミン、（ジアルキルアミノ）アルキル（メタ）アクリレート、２−ビニルピリジン、（ジアルキルアミノアルキル（メタ）アクリルアミド、（ｐ−ビニルフェニル）−トリメチルアンモニウムクロリド、及び１−メタクリロイル−４−メチルピペラジンからなる群から選択される、請求項７記載の方法。
【請求項９】
ビニルアミドポリマーが、０．１〜４０重量パーセントの（メタ）アクリルアミド又は置換（メタ）アクリルアミドモノマーから形成される、請求項６記載の方法。
【請求項１０】
ビニルアミドポリマーが、線状であるか、架橋しているか、連鎖移動しているか、又は架橋かつ連鎖移動している、請求項１〜９のいずれかに記載の方法。
【請求項１１】
ビニルアミドポリマーが、メチレンビス（メタ）アクリルアミド；トリアリルアンモニウムクロリド；テトラアリルアンモニウムクロリド；ポリエチレングリコールジアクリレート；ポリエチレングリコールジメタクリレート；Ｎ−ビニルアクリルアミド；ジビニルベンゼン；テトラ（エチレングリコール）ジアクリレート；ジメチルアリルアミノエチルアクリレートアンモニウムクロリド；ジアリルオキシ酢酸もしくはそのＮａ塩；ジアリルオクチルアミド；トリメチルプロパンエトキシレートトリアクリレート；Ｎ−アリルアクリルアミド；Ｎ−メチルアリルアクリルアミド；ペンタエリスリトールトリアクリレート、及びその組み合わせからなる群から選択される二官能性モノマーを少なくとも用いて架橋している、請求項１０記載の方法。
【請求項１２】
ビニルアミドが、部分的に加水分解されているか、又は部分的にマンニッヒ塩基に変換されている、請求項１〜１１のいずれかに記載の方法。
【請求項１３】
ビニルアミドポリマーが、（メタ）アクリルアミド及びハロゲン化ジアリルジメチルアンモニウムのコポリマーである、請求項６記載の方法。
【請求項１４】
反応を連続式又はバッチ式で行う、請求項１〜１３のいずれかに記載の方法。
【請求項１５】
ビニルアミドポリマーの平均分子量が５００〜５，０００，０００ダルトンである、請求項１〜１４のいずれかに記載の方法。
【請求項１６】
ビニルアミドポリマーの平均分子量が３０，０００〜５００，０００ダルトンである、請求項１５記載の方法。
【請求項１７】
付加物形成を、水性反応液の濁度又は粘度の変化を測定することにより決定し、濁度又
は粘度の変化が、反応開始時と所定の終点との、水性反応液の濁度又は粘度の差である、請求項１〜１６のいずれかに記載の方法。
【請求項１８】
ビニルアミド濃度が全反応混合物の４重量パーセント未満であり、出発ビニルアミドポリマーの重量平均分子量が１，０００と３０，０００ダルトンとの間である、請求項１〜１７のいずれかに記載の方法。
【請求項１９】
ポリビニルアミド付加物が、２〜１，０００ＮＴＵ（ネフェロメトリック単位）である、請求項１〜１８のいずれかに記載の方法。
【請求項２０】
ポリビニルアミド付加物が、線状であるか、架橋しているか、連鎖移動しているか、又は架橋かつ連鎖移動している、請求項１〜１９のいずれかに記載の方法。
【請求項２１】
ポリビニルアミド付加物が、メチレンビス（メタ）アクリルアミド；トリアリルアンモニウムクロリド；テトラアリルアンモニウムクロリド；ポリエチレングリコールジアクリレート；ポリエチレングリコールジメタクリレート；Ｎ−ビニルアクリルアミド；ジビニルベンゼン；テトラ（エチレングリコール）ジアクリレート；ジメチルアリルアミノエチルアクリレートアンモニウムクロリド；ジアリルオキシ酢酸もしくはそのＮａ塩；ジアリルオクチルアミド；トリメチルプロパンエトキシレートトリアクリレート；Ｎ−アリルアクリルアミド；Ｎ−メチルアリルアクリルアミド；ペンタエリスリトールトリアクリレート、及びその組み合わせからなる群から選択される二官能性モノマーを少なくとも用いて架橋している、請求項２０のいずれかに記載の方法。
【請求項２２】
請求項１〜２１のいずれかに記載の方法により得られる水溶性グリオキサール化ポリビニルアミド熱硬化性樹脂。
【手続補正２】
【補正対象書類名】明細書
【補正対象項目名】００８６
【補正方法】変更
【補正の内容】
【００８６】
本発明の範囲内で、ビニルアミドポリマーの濃度は相当に異なりうるものであり、例えば、４重量％未満、約０．１〜４未満、３．５未満、０．５〜約３．５重量％のビニルアミドポリマー、約１．０〜約３．５、又は１．０〜約３．０、又は約１．５〜約３．０重量％のビニルアミドポリマーである。ビニルアミド濃度は全反応混合物の約４重量パーセント未満であってよく、出発ビニルアミドポリマーの重量平均分子量は１，０００と３０，０００との間であってよい。